(57)【特許請求の範囲】
【請求項１】
蓋体１の内側であって蓋体１と胴体３との枢着側である後側と蓋体１の内側に取り付けられる蓋ヒーターカバー８との間を覆うように取り付け得る蓋ヒンジカバー５の左右の軸受部5a，5aでヒンジピン２の両端を保持し、このヒンジピン２に巻着されているヒンジスプリング４の一端を蓋ヒンジカバー５で保持し、ユニット化されたこの部品Ａを、蓋体１の内側であって蓋体１と胴体３との枢着側である後側と、蓋体１の内側に取り付けられている蓋ヒーターカバー８との間に、この間を覆うように取り付け、ユニット化された前記部品Ａに保持されている前記ヒンジピン２により蓋体１を胴体３に開閉自在に装着するとともに、前記ヒンジピン２に巻着されているヒンジスプリング４により前記蓋体１を胴体３に対して付勢せしめ、前記蓋ヒンジカバー５の左右両側に備えられている保持部5c，5cで放熱板セット12の左右２つの係止爪12a，12aを保持し、片側がこのように保持されている放熱板セット12の他方は、胴体３に設けたフック９に係合させ得るスライドフック10を押すようにしたことを特徴とする炊飯器。
【発明の詳細な説明】
【０００１】
【発明の属する技術分野】
本発明は、蓋体をヒンジピンにより胴体に開閉自在に装着するとともに、前記ヒンジピンにヒンジスプリングを巻着し、このヒンジスプリングにより前記蓋体を胴体に対して付勢せしめる形式の炊飯器に関し、さらに詳しくは、その枢着部にユニット化された部品を用いるようにしたものに関する。
【０００２】
【従来の技術】
蓋体をヒンジピンにより胴体に開閉自在に装着するとともに、前記ヒンジピンにヒンジスプリングを巻着し、このヒンジスプリングにより蓋体を胴体に対して付勢せしめる形式の炊飯器においては、蓋体や胴体を含むほとんどの部分が合成樹脂で形成されている。そして、それらの中でも特に蓋体A'については、ブロー成形などの成形による蓋体表面のヒケを防止するために、図１０において図面符号ａで示す中空部が形成されている（例えば、特開平７−１０００５５号公報、特開平９−１４０５７２号公報参照）。
ブロー成形などの成形時において、この中空部ａに空気等のガスを通すことにより、合成樹脂材料が硬化する際収縮しようとするのを防止するとともに、前記ガス圧で合成樹脂材料を外側に広げられ、それによって蓋体A'の表面のヒケが防止される。
【０００３】
【発明が解決しようとする課題】
中空部を形成することなく蓋体A'の表面にヒケが出ないようにするためには、また、蓋体A'の強度を高めるためのリブの本数を少なくするためには、蓋体A'の肉厚を厚くしなければならない。しかしながら、蓋体A'の肉厚を厚くすると軽量化に繋がらないから、好ましいとは言えず、そうかと言って蓋体A'の内面に発泡材を充填してその欠点を補てんしようとすると、見栄えが悪くなる。
【０００４】
そこで、蓋体A'の肉厚を薄くしつつその強度を適度なものとするためには、図１１において図面符号ｂで示すような蓋リングを用いざるを得ない（例えば、実用新案登録第２５９４３８８号公報参照）。
この蓋リングｂは蓋体A'の全周囲で嵌合させることにより蓋体A'の内側に固定されるものであるが、各品番、各サイズでその形が異なり、共通使用ができなかった。また、この蓋リングｂを蓋体A'に嵌め込む作業工数が増えるのみならず、部品点数も多くなり、コストアップに繋がるという欠点もある。
本発明は、この蓋リングｂを用いることなく、蓋体と胴体との枢着部にユニット化された部品を用い、品番・サイズが異なる場合であっても共通使用を可能ならしめ、さらに、品質の安定化、設計の簡略化、金型費用の低減、それへの投資費用の削減を図ることができるようにしたものである。
【０００５】
【課題を解決するための手段】
上記目的を達成するため、本発明では、蓋体１の内側であって蓋体１と胴体３との枢着側である後側と蓋体１の内側に取り付けられる蓋ヒーターカバー８との間を覆うように取り付け得る蓋ヒンジカバー５の左右の軸受部5a，5aでヒンジピン２の両端を保持し、このヒンジピン２に巻着されているヒンジスプリング４の一端を蓋ヒンジカバー５で保持し、ユニット化されたこの部品Ａを、蓋体１の内側であって蓋体１と胴体３との枢着側である後側と、蓋体１の内側に取り付けられている蓋ヒーターカバー８との間に、この間を覆うように取り付け、ユニット化された前記部品Ａに保持されている前記ヒンジピン２により蓋体１を胴体３に開閉自在に装着するとともに、前記ヒンジピン２に巻着されているヒンジスプリング４により前記蓋体１を胴体３に対して付勢せしめ、前記蓋ヒンジカバー５の左右両側に備えられている保持部5c，5cで放熱板セット12の左右２つの係止爪12a，12aを保持し、片側がこのように保持されている放熱板セット12の他方は、胴体３に設けたフック９に係合させ得るスライドフック10を押すようにしたものである。
この場合には、ヒンジピン２及びヒンジスプリング４付きのユニット化された部品Ａで蓋体１を胴体３にきわめて簡単に装着することができる。また、ユニット化された部品Ａを用いるから、品番・サイズが異なる場合であっても共通使用を可能ならしめることができる。
【０００６】
特に、蓋体１の内側に取り付けられている蓋ヒンジカバー５の左右の保持部5c，5cに、放熱板セット12の左右２つの係止爪12a，12aを挿入するだけで、放熱板セット12の片側である左右２つの係止爪12a，12aが蓋ヒンジカバー５の左右の保持部5c，5cで保持される。そして、片側がこのように保持されている放熱板セット12の他方では、スライドフック10が前方に押されて胴体３の前側に設けたフック９に係合することになり、蓋体１を閉めることができる。逆に、放熱板セット12を取り付けない状態では、スライドフック10はフック９に係合せず、蓋体１を閉めることができない。
したがって、炊飯器の使い方、セットの仕方が間違っていることをユーザーに知らせることができる。
【０００７】
【発明の実施の形態】
本発明の最も好ましい実施の形態を、図１〜図８に基いて説明する。
図１に示す炊飯器は、蓋体１をヒンジピン２により胴体３に開閉自在に装着するとともに、前記ヒンジピン２にヒンジスプリング４を巻着し、このヒンジスプリング４により前記蓋体１を胴体３に対して常に開く方向に付勢せしめた形式のものである。
ヒンジピン２とヒンジスプリング４とは、図３〜図６に示すように、ユニット化された部品Ａに保持させてあり、ユニット化されたこの部品Ａを蓋体１の内側であって蓋体１と胴体３との枢着側である後側と、蓋体１の内側に取り付けられている蓋ヒーターカバー８との間に、この間を覆うように取り付けることにより、蓋体１の後側に胴体３との枢着部を容易に形成することができ、この枢着部を利用して蓋体１を胴体３にきわめて簡単に装着できる。
【０００８】
ユニット化されたこの部品Ａは、蓋体１の内側であって蓋体１と胴体３との枢着側である後側と、蓋体１の内側に取り付けられている蓋ヒーターカバー８との間を覆うように取り付け得る蓋ヒンジカバー５を有しており、この蓋ヒンジカバー５の左右の軸受部5a，5aにヒンジピン２の両端が挿入・保持され、このヒンジピン２に巻着されているヒンジスプリング４の一端4aが蓋ヒンジカバー５のスプリング保持筒5bに挿入・保持せしめられている。
この蓋ヒンジカバー５をネジ６により蓋体１の内側であって蓋体１と胴体３との枢着側である後側（図１では右側に現れる後側、図５では右側）と、蓋体１の内側に取り付けられている蓋ヒーターカバー８との間を覆うように取り付けると、図５及び図６に示すように、蓋体１の内側であって蓋体１と胴体３との枢着側である後側と、蓋体１の内側に取り付けられている蓋ヒーターカバー８との間に、この間を覆うようにユニット化された部品Ａをきわめて簡単に取り付けることができ、それによって蓋体１と胴体３との枢着側である後側に胴体３との枢着部を容易に形成することができる。
このように、蓋体と胴体との枢着部にユニット化された部品を用いると、品番・サイズが異なる場合であっても共通使用を可能ならしめることができる。また、品質の安定化、設計の簡略化、金型費用の低減、それへの投資費用の削減を図ることができる。
なお、図５において、図面符号1eはネジ６ねじ込み用の孔である。
【０００９】
蓋体１の裏面（内面）中央には、図５及び図６に示すように、垂直なリング状の壁からなる蓋リング1aが形成されており、ネジ７によりその内側に添うごとく蓋ヒーターカバー８が取り付けられる。
この蓋ヒーターカバー８の片側（蓋ヒンジカバー５が取り付けられている側）周縁部には、図５に示すように、２つの係止爪8a，8aが突出するごとく形成されており、両係止爪8a，8aを蓋体１の内面に形成されている蓋リング1aの孔1b，1bにそれぞれ挿入してその片側を保持してある。
【００１０】
蓋ヒンジカバー５が取り付けられている側と反対側である蓋体１の前側には、図５〜図７に示すように、胴体３の前側に設けたフック９（図１にも現れている）に係合させ得るスライドフック10が配置されている。このスライドフック10は、図７及び図８に示すように、スライドフックスプリング10aにより常に後方へ付勢するようにスライドフックカバー10bで保持されている。スライドフック10の先端は、図５及び図８に示すように、蓋体１の前側に形成された挿入孔1cを経て蓋体１の外側に突出している。スライドフックカバー10bはネジ11により蓋体１の裏側に固定される。
【００１１】
そして、蓋ヒーターカバー８の反対側は、このスライドフックカバー10b で保持されている。ここでは、図５に示すように、蓋ヒーターカバー８の反対側の周縁部に２つの挿入爪8b，8bを形成し、両挿入爪8b，8bを蓋体１の内側に取り付けたスライドフックカバー10bの裏側に差し込むことによって、蓋ヒーターカバー８の反対側が保持された場合が例示されている。
【００１２】
一方、前記蓋ヒンジカバー５の左右両側には、図５及び図６に示すように、蓋体１の内側に装着される放熱板セット12の左右２つの係止爪12a，12aを保持するための保持部5c，5cが備えられている。放熱板セット12とは、胴体３に収容されている内釜13の上端開放面を閉塞する放熱板12b、その周囲に取り付けられている放熱板取付リング12c、放熱板12b と放熱板取付リング12cとで挾まれて保持されていて前記内釜13の周縁に接触する放熱板パッキン12dとにより構成されており、それらがユニット化されたものである。
そして、図６に示すように、蓋体１の内側に取り付けられている蓋ヒンジカバー５の左右両側の保持部5c，5cに、放熱板セット12の左右２つの係止爪12a，12aを挿入するだけでユニット化されている放熱板セット12の片側（後側）が保持される。
【００１３】
このとき、ユニット化された放熱板セット12の反対側（前側）は、蓋体１の前側に配置されているスライドフック10を前方に押すようになっている。すなわち、図６に示すように、放熱板セット12の外周から突出させてある２本の突出爪12e,12eがスライドフック10を前方に押すようになっている。
したがって、放熱板セット12を蓋体１の内側に取り付けた状態では、スライドフック10が前方に押されて胴体１の前側に設けたフック９に係合することになり、蓋体１を閉めることができる。逆に、放熱板セット12を取り付けない状態では、スライドフック10はフック９に係合せず、蓋体１を閉めることができない。
このような構成とすることによって、炊飯器の使い方、セットの仕方が間違っていることをユーザーに知らせることができる。
【００１４】
ユニット化されている放熱板セット12を蓋体１の裏側に取り付けると、その一部である放熱板12bが蓋体１の裏側に取り付けられている蓋ヒーターカバー８に接触する。なお、図６においては、放熱板セット12を見る角度を便宜上蓋体１を見る角度と異ならしめ、放熱板セット12に形成されている２つの係止爪12a,12a が両方とも見えるようにした。
そして、ユニット化されている放熱板セット12を蓋体１の裏側に取り付けると、胴体３との枢着部が形成された蓋セットＢとなるから、この蓋セットＢに備えられているヒンジピン２の左右両側を、胴体３の軸受凹部3a，3a（図９参照）に嵌め込めば、放熱板セット12を有する蓋セットＢを胴体３にきわめて簡単に装着することができる。
かくして、この放熱板セット12の一部である放熱板12bで内釜13の上端開放面を閉塞し、胴体３内に収容されている内釜13の加熱手段（図示していない）によって炊飯の調理を行うことができる。図１の図面符号14は、蒸気通路である。
なお、放熱板セット12を有する蓋セットＢを胴体３に装着したとき、ヒンジスプリングの他端4bは、図１及び図２に示すように、胴体３側に係止せしめられる。
【００１５】
ここに例示する場合にあっては、図５に示すように、蓋体１の内側であって蓋体１と胴体３との枢着側である後側と、蓋体１の内側に取り付けられている蓋ヒーターカバー８との間に、この間を覆うようにユニット化された部品Ａをネジ６により取り付けたとき、蓋体１の裏面（内面）に形成されている前後方向（図５の左右方向）の２本のリブ1d，1dの内面にユニット化された部品Ａの軸受部5a，5aの外端面が当接するようになっている。
したがって、両軸受部5a，5aに保持されているヒンジピン２が各軸受部5a，5aの外側に抜け落ちるのを２本のリブ1d，1dで防止できる。
【００１６】
【発明の効果】
請求項１記載の発明によれば、ヒンジピン及びヒンジスプリング付きのユニット化された部品で蓋体を胴体にきわめて簡単に装着することができる。また、ユニット化された部品を用いるから、品番・サイズが異なる場合であっても共通使用を可能ならしめることができ、さらに、品質の安定化、設計の簡略化、金型費用の低減、それへの投資費用の削減を図ることができる。
【００１７】
特に、蓋体の内側に取り付けられている蓋ヒンジカバーの左右の保持部に、放熱板セットの左右２つの係止爪を挿入するだけで、放熱板セットの片側である左右２つの係止爪が蓋ヒンジカバーの左右の保持部で保持され、片側がこのように保持されている放熱板セットの他方では、スライドフックが前方に押されて胴体の前側に設けたフックに係合することになり、蓋体を閉めることができ、逆に、放熱板セットを取り付けない状態では、スライドフックはフックに係合せず、蓋体を閉めることができないから、炊飯器を使用するに当って、構成部品を定められた正しい装着状態にしない限り、蓋体を閉めることができず、炊飯器の使い方、セットの仕方が間違っていることを簡単にユーザーに知らせることができる。
【図面の簡単な説明】
【図１】本発明による炊飯器の一例を示す一部切断の側面図である。
【図２】図１の一部拡大断面図である。
【図３】ユニット化された部品の一例を示す斜視図である。
【図４】ユニット化された部品を裏側から見た図である。
【図５】蓋ヒーターカバーを取り付けた蓋体を内側から見た平面図で、一部を切り欠いて示す。
【図６】蓋ヒーターカバーを取り付けた蓋体に、放熱板セットを取り付ける様子を表す斜視図である。
【図７】炊飯器の前側の一部を拡大して示す断面図である。
【図８】蓋体の前側の一部を内側から見た拡大斜視図で、一部を分解して示す。
【図９】胴体側の軸受凹部を詳細に示す拡大断面図である。
【図１０】ブロー成形などの成形による蓋体表面のヒケを防止するために、中空部を形成した従来の蓋体の一例を示す拡大側面図で、一部を切り欠いて示す。
【図１１】ブロー成形などの成形による蓋体表面のヒケを防止するために、蓋リングを備えた従来の蓋体の一例を示す拡大側面図で、一部を切り欠いて示す。
【符号の説明】
１…蓋体、２…ヒンジピン、３…胴体、４…ヒンジスプリング、５…蓋ヒンジカバー、5a…軸受部、5c…保持部、８…蓋ヒーターカバー、９…フック、10…スライドフック、10a…スライドフックスプリング、10b…スライドフックカバー、Ａ…ユニット化された部品、Ｂ…蓋セット。
【図１】
0003724565.tif 000002
【図２】
0003724565.tif 000003
【図３】
0003724565.tif 000004
【図４】
0003724565.tif 000005
【図５】
0003724565.tif 000006
【図６】
0003724565.tif 000007
【図７】
0003724565.tif 000008
【図８】
0003724565.tif 000009
【図９】
0003724565.tif 000010
【図１０】
0003724565.tif 000011
【図１１】
0003724565.tif 000012